(57)【要約】  フレキシブル表示パネルとフレキシブル表示装置を提供する。該フレキシブル表示パネルは、第１絶縁層（１）と、前記第１絶縁層（１）に設けられ、前記フレキシブル表示パネルの所定折曲領域（Ｓ１）を通過する複数のリード線と、各前記リード線（２）における第２絶縁層（３）とを備え；少なくとも１本の前記リード線（２）は、前記所定折曲領域（Ｓ１）内に少なくとも１つの第１透かし部（２１）を備え、前記第１絶縁層（１）と前記第２絶縁層（３）とは前記少なくとも１つの第１透かし部（２１）によって接続される。こうして、製品の性能を向上させることができる。【選択図】図１【特許請求の範囲】
【請求項１】
第１絶縁層と、
前記第１絶縁層上に位置し、前記フレキシブル表示パネルの所定折曲領域を通過する複数のリード線と、
各前記リード線に位置する第２絶縁層とを備え、
少なくとも１本の前記リード線は、前記所定折曲領域内に少なくとも１つの第１透かし部を備え、前記第１絶縁層と前記第２絶縁層とは前記少なくとも１つの第１透かし部を介して接続される、フレキシブル表示パネル。
【請求項２】
同一本の前記リード線は、前記所定折曲領域内に複数の第１透かし部を備え、各前記第１透かし部は前記第１絶縁層に向かう第１開口を有し、
前記所定折曲領域では、同一本の前記リード線において、折曲エッジに比較的近接する前記第１透かし部の前記第１開口の面積は、前記折曲エッジから比較的離れた前記第１透かし部の前記第１開口の面積よりも大きく、且つ折曲中心に近接する前記第１透かし部の前記第１開口の面積は、前記折曲中心から比較的離れた前記第１透かし部の前記第１開口の面積よりも小さい、請求項１に記載のフレキシブル表示パネル。
【請求項３】
同一本の前記リード線は、前記所定折曲領域内に複数の第１透かし部を備え、
前記所定折曲領域では、同一本の前記リード線において、折曲エッジに比較的近接するサブ領域における前記第１透かし部の分布密度は、前記折曲エッジから比較的離れたサブ領域における前記第１透かし部の分布密度よりも大きく、且つ折曲中心に比較的近接するサブ領域における前記第１透かし部の分布密度は、前記折曲中心から比較的離れたサブ領域における前記第１透かし部の分布密度よりも小さい、請求項１に記載のフレキシブル表示パネル。
【請求項４】
前記リード線は、前記第１絶縁層と接触する底面を有し、
前記第１透かし部のフレキシブル表示パネルの表面に垂直な断面に沿った境界と前記底面との夾角は、第１夾角であり、前記第１夾角は４５°〜９５°である、請求項１に記載のフレキシブル表示パネル。
【請求項５】
少なくとも１本の前記リード線は、前記所定折曲領域と前記フレキシブル表示パネルのエッジとの間に位置する第１部分をさらに含み、少なくとも１つの第２透かし部は、前記少なくとも１本のリード線の前記第１部分に位置し、前記第１絶縁層と前記第２絶縁層とは、さらに前記少なくとも１つの第２透かし部を介して接続される、請求項４に記載のフレキシブル表示パネル。
【請求項６】
前記フレキシブル表示パネルの前記断面において、前記第２透かし部の断面境界と前記底面との夾角は、第２夾角であり、前記第２夾角は前記第１夾角よりも小さい、請求項５に記載のフレキシブル表示パネル。
【請求項７】
前記所定折曲領域は、前記フレキシブル表示パネルの表示領域と前記フレキシブル表示パネルの前記エッジとの間に位置し、
前記表示領域内に複数の信号線が設けられ；前記少なくとも１本のリード線は、前記表示領域と前記所定折曲領域との間に位置し、前記信号線を接続するための第２部分をさらに含み、
第３透かし部は前記少なくとも１本の前記リード線の前記第２部分に位置し、前記第１絶縁層と前記第２絶縁層とは、さらに前記第３透かし部を介して接続される、請求項４に記載のフレキシブル表示パネル。
【請求項８】
前記フレキシブル表示パネルの断面図において、前記第３透かし部の断面境界と前記底面との夾角は、第３夾角であり、前記第３夾角は前記第１夾角よりも小さい、請求項７に記載のフレキシブル表示パネル。
【請求項９】
同一本の前記リード線は、前記所定折曲領域内に複数の第１透かし部が設けられ、各前記第１透かし部は前記第１絶縁層に向かう第１開口を有し、
前記所定折曲領域では、同一本の前記リード線において、比較的広い線幅を有する部分における前記第１透かし部の前記第１開口の面積は、比較的狭い線幅を有する部分における前記第１透かし部の前記第１開口の面積よりも大きい、請求項１に記載のフレキシブル表示パネル。
【請求項１０】
各前記リード線は、前記所定折曲領域内において、いずれも前記リード線の延在方向に沿って間隔を空けて配列された複数の前記第１透かし部を備え、
且つ各前記リード線における前記第１透かし部の分布密度は、前記リード線の長さの増加につれて減少する、請求項１に記載のフレキシブル表示パネル。
【請求項１１】
各前記リード線における前記複数の前記第１透かし部の体積は、ほぼ等しい、請求項１０に記載のフレキシブル表示パネル。
【請求項１２】
各前記リード線は、前記所定折曲領域内において、いずれも前記リード線の延在方向に沿って間隔を空けて配列された複数の前記第１透かし部を備え、
且つ各前記リード線における前記第１透かし部の透かしの総体積は、前記リード線の長さの増加につれて減少する、請求項１に記載のフレキシブル表示パネル。
【請求項１３】
前記第１透かし部は貫通孔であり、前記リード線の最小線幅は、前記貫通孔の前記第１絶縁層から離れた上孔の最大孔径の４／３よりも大きく、且つ前記上孔の最大孔径の３倍よりも小さい、請求項１に記載のフレキシブル表示パネル。
【請求項１４】
請求項１〜１３のいずれかに記載のフレキシブル表示パネルを備える、フレキシブル表示装置。
【発明の詳細な説明】
【技術分野】
【０００１】
本開示の実施例は、フレキシブル表示パネルとフレキシブル表示装置に関するものである。
【背景技術】
【０００２】
フレキシブル表示パネルは、表示手段をフレキシブルキャリアに作製することによってフレキシブル表示パネルの折曲可能性を実現し、ユーザの操作体験を向上させ、表示パネルの応用場面を拡張させる。
【０００３】
フレキシブル表示パネルには、信号を伝送する複数のリード線が設けられているため、リード線が延在して、フレキシブル表示パネルの使用又は生産過程において折曲が発生する領域を通過する場合、折曲による分離力の作用により、リード線と上層絶縁層や下層絶縁層とは、折曲領域内の断面において分離が発生しやすく、導電層（即ち、リード線）と絶縁層との分離不良が発生して、製品性能に影響を及ぼす。
【発明の概要】
【課題を解決するための手段】
【０００４】
本開示の実施例は、
第１絶縁層と、
前記第１絶縁層上に位置し、前記フレキシブル表示パネルの所定折曲領域を通過する複数のリード線と、
各前記リード線に位置する第２絶縁層とを備え、
少なくとも１本の前記リード線は、前記所定折曲領域内に少なくとも１つの第１透かし部を備え、前記第１絶縁層と前記第２絶縁層とは前記少なくとも１つの第１透かし部を介して接続される、フレキシブル表示パネルを提供する。
【０００５】
一例では、同一本の前記リード線は、前記所定折曲領域内に複数の第１透かし部を備え、各前記第１透かし部は前記第１絶縁層に向かう第１開口を有し、
前記所定折曲領域では、同一本の前記リード線において、折曲エッジに比較的近接する前記第１透かし部の前記第１開口の面積は、この折曲エッジから比較的離れた前記第１透かし部の前記第１開口の面積よりも大きく、且つ折曲中心に比較的近接する前記第１透かし部の前記第１開口の面積は、前記折曲中心から比較的離れた前記第１透かし部の前記第１開口の面積よりも小さい。
【０００６】
一例では、同一本の前記リード線は、前記所定折曲領域内に複数の第１透かし部を備え、
前記所定折曲領域では、同一本の前記リード線において、折曲エッジに比較的近接するサブ領域における前記第１透かし部の分布密度は、この折曲エッジから比較的離れたサブ領域における前記第１透かし部の分布密度よりも大きく、且つ折曲中心に比較的近接するサブ領域における前記第１透かし部の分布密度は、前記折曲中心から比較的離れたサブ領域における前記第１透かし部の分布密度よりも小さい。
【０００７】
一例では、前記リード線は、前記第１絶縁層と接触する底面を有し、
前記第１透かし部のフレキシブル表示パネルの表面に垂直な断面に沿った境界と前記底面との夾角は、第１夾角であり、前記第１夾角は４５°〜９５°である。
【０００８】
一例では、少なくとも１本の前記リード線は、前記所定折曲領域と前記フレキシブル表示パネルのエッジとの間に位置する第１部分をさらに含み、少なくとも１つの第２透かし部は前記少なくとも１本のリード線の前記第１部分に位置し、前記第１絶縁層と前記第２絶縁層とは、さらに前記少なくとも１つの第２透かし部を介して接続される。
【０００９】
一例では、前記フレキシブル表示パネルの前記断面において、前記第２透かし部の断面境界と前記底面との夾角は、第２夾角であり、前記第２夾角は前記第１夾角よりも小さい。
【００１０】
一例では、前記所定折曲領域は、前記フレキシブル表示パネルの表示領域と前記フレキシブル表示パネルの前記エッジとの間に位置し、
前記表示領域内に複数の信号線が設けられ；前記少なくとも１本のリード線は、前記表示領域と前記所定折曲領域との間に位置し、前記信号線を接続するための第２部分をさらに含み、
第３透かし部は前記少なくとも１本のリード線の前記第２部分に位置し、前記第１絶縁層と前記第２絶縁層とは、さらに前記第３透かし部を介して接続される。
【００１１】
一例では、前記フレキシブル表示パネルの断面図において、前記第３透かし部の断面境界と前記底面との夾角は、第３夾角であり、前記第３夾角は前記第１夾角よりも小さい。
【００１２】
一例では、同一本の前記リード線は、前記所定折曲領域内に複数の第１透かし部が設けられ、各前記第１透かし部は前記第１絶縁層に向かう第１開口を有し、
前記所定折曲領域では、同一本の前記リード線において、比較的広い線幅を有する部分における前記第１透かし部の前記第１開口の面積は、比較的狭い線幅を有する部分における前記第１透かし部の前記第１開口の面積よりも大きい。
【００１３】
一例では、各前記リード線は、前記所定折曲領域内において、いずれも前記リード線の延在方向に沿って間隔を空けて配列された複数の前記第１透かし部を備え、
各前記リード線における前記第１透かし部の分布密度は、前記リード線の長さの増加に従って減少する。
【００１４】
一例では、各前記リード線における前記複数の前記第１透かし部の体積は、ほぼ等しい。
【００１５】
一例では、各前記リード線は、前記所定折曲領域内において、いずれも前記リード線の延在方向に沿って間隔を空けて配列された複数の前記第１透かし部を備え、
各前記リード線における前記第１透かし部の透かしの総体積は、前記リード線の長さの増加に従って減少する。
【００１６】
一例では、前記第１透かし部は貫通孔である；前記リード線の最小線幅は、前記貫通孔の前記第１絶縁層から離れた上孔の最大孔径の４／３よりも大きく、且つ前記上孔の最大孔径の３倍よりも小さい。
【００１７】
本開示の他の実施例は、上記のいずれかに記載のフレキシブル表示パネルを備えるフレキシブル表示装置を提供する。
【図面の簡単な説明】
【００１８】
本開示の実施例の技術案、又は従来技術の技術案をより明確的に説明するために、以下、実施例又は従来技術の説明に必要な図面を簡単に説明する。言うまでもなく、以下の説明における図面は、本開示の実施例の一部に過ぎず、当業者であれば、格別創意を要することなく、これらの図面に基づいて他の図面を得られる。
【００１９】
【図１】本開示の実施例に係るフレキシブル表示パネルの平面視構造を示す図である。
【図２】図１におけるＡ−Ａ’方向の断面構造を示す図である。
【図３】本開示の実施例に係るフレキシブル表示パネルの平面視構造を示す図である。
【図４】本開示の実施例に係るフレキシブル表示パネルの平面視構造を示す図である。
【図５】本開示の実施例に係るフレキシブル表示パネルにおける第１透かし部と第２透かし部の断面比較構造を示す図である。
【図６】本開示の実施例に係るフレキシブル表示パネルにおける第１透かし部と第３透かし部の断面比較構造を示す図である。
【図７】本開示の実施例に係るフレキシブル表示パネルの部分平面視構造拡大概略図である。
【図８】本開示の実施例に係るフレキシブル表示パネルの部分平面視構造拡大概略図である。
【図９】本開示の実施例に係るフレキシブル表示パネルの部分平面視構造拡大概略図である。
【図１０】本開示の実施例に係るフレキシブル表示装置を示す図である。
【発明を実施するための形態】
【００２０】
本開示の実施例の目的、技術案及び利点をより明確にするために、以下、本開示の実施例の図面を参照し、本開示の実施例の技術案について明確かつ完全に説明する。また、記載された実施例はあくまで本開示の実施例の一部に過ぎず、全ての実施例ではないことは明らかである。説明される本開示の実施例に基づき、当業者が格別の創意を必要とせずに容易に想到できる他の実施例は、全て本開示の権利範囲に含まれるものとする。
【００２１】
例示的には、本開示の明細書及び特許請求の範囲に用いられる用語「第１」、「第２」及び類似の用語は、いかなる順序、数量又は重要性も示さなく、異なる構成要素を区別するために使用されるだけである。「備える」又は「含む」などの類似の用語は、その用語の前に現れる要素又は部品が、その用語の後に現れる要素又は部品及びその均等物を包含することを意味し、他の要素又は部品を排除するものではない。「上・上方」、「下・下方」などの方位又は位置関係を示す用語は、図面に示す方位又は位置関係に基づくものであり、言及された装置又は要素が特定の方位を有し、特定の方位で構成及び操作されなければならないことを示す又は示唆するものではなく、本開示の実施例の技術案を便利に説明するためのものに過ぎず、従って本開示を限定するものと解釈されるべきではない。
【００２２】
本開示の実施例は、フレキシブル表示パネル及びフレキシブル表示装置を提供し、フレキシブル表示パネルにおいて、所定折曲領域内を通過するリード線が、パネルの折曲時に絶縁層と分離不良が発生するという問題を解決し、製品性能を向上させることができる。
【００２３】
図１及び図２に示すように、本開示の実施例は、フレキシブル表示パネル１００を提供し、該フレキシブル表示パネル１００は、第１絶縁層１（図１に図示せず）と、第１絶縁層１に設けられた、延在方向がフレキシブル表示パネル１００の所定折曲領域Ｓ１を通過する複数のリード線２と、各リード線２に配置される第２絶縁層３（図１に図示せず）とを備え；リード線２は、所定折曲領域Ｓ１内に第１透かし部２１を備え、第１絶縁層１と第２絶縁層３とは第１透かし部２１を介して接続される。
【００２４】
フレキシブル表示パネルは画面を表示するための表示領域を有し、該領域内に複数の信号線が設けられ、上述したリード線と信号線とは１対１に対応して、それにより信号線に対応する信号を供給する。
【００２５】
例えば、図３に示すように、表示領域Ｓ０内の信号線は複数のデータ線４と複数のゲート線５とに分けることができ、両者の間に絶縁層が設けられる。データ線とゲート線とは交差して配置されて、画素領域を画定し、データ線は画素領域に表示信号を供給し、ゲート線は走査スイッチング電界を供給する。
【００２６】
例示的には、図３に示すように、データ線と１対１に接続されるリード線は、例えばデータ線のリード線であってもよい。
【００２７】
データ線のリード線は、データ線を製造する時の金属材料を採用して形成することができ、さらに、データ線とデータ線のリード線とは一体的に形成される構造でもよく、即ち同一のパターニング工程で同時に形成されてもよい。
【００２８】
ゲート線と１対１に接続されるリード線は、例えばゲート線のリード線であってもよい。
【００２９】
ゲート線のリード線は、ゲート線を製造する時の金属材料を採用して形成することができ、さらに、ゲート線とゲート線のリード線とは一体的に形成される構造でもよく、即ち同一のパターニング工程で同時に形成されてもよい。
【００３０】
フレキシブル表示パネルにおいて、データ線層の上方と下方には絶縁層が設けられ、データ線に接続された同層に設けられたリード線（即ちデータ線のリード線）に関し、そのリード線の上方と下方の第１絶縁層１及び第２絶縁層３は、データ線層の上方と下方の絶縁層がフレキシブル表示パネルの表示領域以外まで延る部分であってもよい。
【００３１】
同様に、フレキシブル表示パネルにおいて、ゲート線層の上方と下方には絶縁層が設けられ、ゲート線に接続された同層に設けられたリード線（即ちゲート線のリード線）に関し、そのリード線の上方と下方の第１絶縁層１及び第２絶縁層３は、ゲート線層の上方と下方の絶縁層がフレキシブル表示パネルの表示領域以外まで延る部分であってもよい。
【００３２】
本開示の実施例は、リード線２が第１絶縁層１に設けられ、即ちリード線２に１つの基板が提供される限り、上述したリード線２の上方と下方の第１絶縁層１及び第２絶縁層３の具体的な種類は限定されない；第２絶縁層３は、リード線２に設けられ、且つリード線２における第１透かし部２１を介して、対向する下方の第１絶縁層１に接続していればよい。
【００３３】
上記の第１透かし部２１とは、リード線２に形成された、リード線２を貫通するための貫通構造を指し、該第１透かし部２１により、リード線２が形成された後且つ第２絶縁層３がまだ形成されていない時、リード線２における第１透かし部２１は、下方の第１絶縁層１を露出することができ、それによりリード線２の後に形成された第２絶縁層３がリード線２を被覆した後、第１透かし部２１を介して下方の第１絶縁層１に接続することができる。
【００３４】
さらに、本開示の実施例は、各リード線２における第１透かし部２１の分布密度（即ち一定の長さ内の第１透かし部２１の数）及び形状についても具体的に限定されず、さらなる設計ニーズに応じて柔軟に調整することができる。
【００３５】
上記の図１には、上記のフレキシブル表示パネル１００における幾つかのリード線２のみ示されている。リード線２の具体的な数は、フレキシブル表示パネル１００の具体的な寸法及び画素密度等の設計パラメータに応じて柔軟に調整することができ、本開示の実施例はこれに限定されない。
【００３６】
リード線は金属又は合金等の導電性材料からなるものであり、各リード線は１つの導電層に相当し、その材料構造は絶縁層とは構造的に顕著な相違を有するため、リード線と絶縁層との両者の間の分子結合力は、絶縁層同士の間の分子結合力よりも小さい。こうして、フレキシブル表示パネルがフレキシブルに折り曲げられる時、折曲領域に位置するリード線と絶縁層との間の接触面に分子結合力が小さいため、分離しやすい。
【００３７】
これに基づき、本開示の実施例に係る上記のフレキシブル表示パネル１００は、リード線２の所定折曲領域内の部分に第１透かし部２１を形成することにより、リード線２の下方と上方にそれぞれ位置する第１絶縁層１と第２絶縁層３とを接続させ、即ちリード線と絶縁層との間に一定の界面遷移領域を形成し、第１絶縁層１と第２絶縁層３との間に接着力がより強いという特徴を利用し、接着力を増加させ、これによりリード線２と、接触する上、下層絶縁層とが折り曲げ、特に繰り返し折り曲げられた時に分離する可能性を低減又は回避することができ、製品の歩留まりを向上させることができる。
【００３８】
上記各リード線２において、第１透かし部２１の形状は、図１に示す丸孔状を含むがこれに限定されず、各リード線２が正常に信号を伝送できるように、各リード線２に完全な断線領域が生じなければよい。
【００３９】
ここで、第１透かし部２１が貫通孔である場合を例に取ると、貫通孔の第１絶縁層１から離れた上孔の幅（即ち孔径）とリード線２の線幅との２つの幅の値が比較的近い場合、製造工程のばらつきに起因して、エッチング等の工程で貫通孔を形成する時、リード線２に完全な断線領域が生じやすく、これにより該リード線２が信号を正常に伝送することができなくなる；同時に、貫通孔の第１絶縁層１から離れた上孔の幅（即ち孔径）は、リード線２の線幅より小さすぎると、貫通孔の製造難度も比較的大きい。ここで、上孔は、例えば、貫通孔２１がリード線２の第１絶縁層１から離れた表面に形成された孔である。
【００４０】
そこで、上記の考察に基づいて、本開示の実施例はさらに一つの実施形態を提供する。リード線２の最小線幅が例えば、貫通孔の第１絶縁層１から離れた上孔の最大孔径の４／３よりも大きく、且つ上孔の最大孔径の３倍よりも小さい。ここで、リード線２の最小線幅とは、図１に示すように、２つの外側境界の間の最小距離ｄを指す。図１において、各リード線２は、ほぼ均一な幅を有している。
【００４１】
上述した「最大孔径」とは、貫通孔の上孔径の最も広い寸法を指す。例示的には、上孔のパターンが楕円形である場合、最大孔径が楕円形の長軸幅である；上孔のパターンが円形である場合、最大孔径は円形の直径である。
【００４２】
図２に示すように、上記の第１透かし部２１は、第１絶縁層１に向う第１開口２１ａを有し、該第１開口２１ａで露出する第１絶縁層１の部分は、即ち第２絶縁層３に接続される部分である。
【００４３】
図１に示すように、本開示の実施例は、さらに他の実施形態を提供する。少なくとも一本のリード線２は上記の所定折曲領域Ｓ１内に該リード線２の延在方向に沿って間隔を空けて配列された複数の第１透かし部２１を備え、同一本のリード線２における異なる第１透かし部２１の第１開口２１ａの大きさの違い、および／または同一本のリード線２における第１透かし部２１の具体的な分布状況によって、異なる程度の折曲によって生じるリード線と絶縁層との分離力を調整することができる。ここで、リード線２の延在方向は、例えば、リード線の最大寸法が位置する長手方向である。
【００４４】
例えば、上記の所定折曲領域Ｓ１において、折曲エッジに近接するサブ領域における第１透かし部２１の第１開口２１ａの面積は、折曲中心に近接するサブ領域における第１透かし部２１の第１開口２１ａの面積よりも大きい。ここで、図１に示すように、所定折曲領域Ｓ１の２つの互いに平行な折曲エッジは、破線で示され、且ついずれも所定折曲領域Ｓ１に面する表示領域Ｓ０のエッジに平行する。折曲領域Ｓ１の２つの折曲エッジの中心線位置を予め設定する。ここで、上記フレキシブル表示パネル１００が折り曲げられる時、所定折曲領域Ｓ１における折曲エッジに近接するサブ領域にとって、該サブ領域は、パネルが折り曲げられる領域と折り曲げられない領域との境界に位置し、その内部に応力分布が不均一になる場合があるため、リード線２と、接触する上、下層絶縁層との分離問題がより一層発生しやすい。
【００４５】
これに対して、所定折曲領域Ｓ１において折曲中心に近接位置するサブ領域については、該サブ領域全体はパネルが折り曲げられる領域の間に位置するため、パネルが折曲げた後、その内部の応力分布が比較的均一であり、リード線２線と、接触する上、下層絶縁層との分離が発生する度合いが比較的小さい可能性がある。
【００４６】
従って、本開示の実施例に係る上記の実施形態はさらに、折曲エッジ（即ち、折曲による応力の分布がより不均一となる領域）に近接するサブ領域に第１開口２１ａがより大きい第１透かし部２１を設けることにより、所定折曲程度が大きいサブ領域において、リード線２の上下両側の第１絶縁層１と第２絶縁層３とが接続する部分がより多くすることができ、これにより、接着力をさらに向上させる。例えば、前記所定折曲領域では、同一本の前記リード線において、折曲エッジに比較的近接する前記第１透かし部の前記第１開口の面積は、この折曲エッジから比較的離れた前記第１透かし部の前記第１開口の面積よりも大きく、且つ折曲中心に比較的近接する前記第１透かし部の前記第１開口の面積は、前記折曲中心から比較的離れた前記第１透かし部の前記第１開口の面積よりも小さい。
【００４７】
同様に、上記の所定折曲領域Ｓ１において、折曲エッジに近接するサブ領域における第１透かし部２１の分布密度を、折曲中心に近接するサブ領域における第１透かし部２１の分布密度よりも大きく設定してもよい。例えば、前記所定折曲領域では、同一本の前記リード線において、折曲エッジに比較的近接するサブ領域における前記第１透かし部の分布密度は、この折曲エッジから比較的離れたサブ領域における前記第１透かし部の分布密度よりも大きく、且つ折曲中心に比較的近接するサブ領域における前記第１透かし部の分布密度は、前記折曲中心から比較的離れたサブ領域における前記第１透かし部の分布密度よりも小さい。
【００４８】
こうして、折曲エッジ（即ち、折曲による応力分布がより不均一になる領域）に近接するサブ領域により多くの第１透かし部２１を設けることにより、所定折曲程度が大きいサブ領域において、リード線２の上下両側の第１絶縁層１と第２絶縁層３とがより多くの第１透かし部２１によって接続されることができ、これにより接着力をさらに向上させることができる。
【００４９】
上記の説明に基づき、本開示の実施例は、もうひとつの実施形態をさらに提供する。図２に示すように、上記リード線２１は、第１絶縁層１に接触する底面２１ｂを有し；第１透かし部２１のフレキシブル表示パネル１００の表面に垂直な断面に沿った境界と底面２１ｂとの夾角が第１夾角（図２ではθ１と表記する）であり、上記の第１夾角の範囲は、例えば４５°〜９５°である。
【００５０】
ここで、第１夾角を上記の範囲（該範囲は４５°及び９５°を含む）に選定することは、角度が小さすぎることによって、第１透かし部２１内において第２絶縁層３がリード線２と接触する部分に比較的長い接触境界が存在して、折曲時に第２絶縁層３とリード線２１とが比較的長い断面境界で分離が発生する可能性の増加を回避することができ；同時に、角度が大きすぎることによって、第１透かし部２１の上下の開口面積の差が大きくなりすぎて、第１透かし部２１の製造難度の増加を回避することができる。
【００５１】
上記の説明に基づき、図４に示すように、少なくとも一本のリード線２は、所定折曲領域Ｓ１の外側で、且つフレキシブル表示パネルのエッジに近接する部分に第２透かし部２２をさらに備え、第１絶縁層１と第２絶縁層３とは、さらに第２透かし部２２を介して接続される。
【００５２】
ここで、リード線２のフレキシブル表示パネルのエッジに近接する部分は、通常、制御回路上の接続端子（又は信号導出端子ともいう）に接続される部分であり、接続端子に折曲が発生する可能性が低く、リード線２の接続端子に比較的近接する領域に第２透かし部２２を設けることによって、リード線２が折り曲げられた時、その内部に発生する応力を分散することができる。
【００５３】
さらに、図５に示すように、フレキシブル表示パネルに垂直な方向に沿って、第２透かし部２２の断面境界と底面２１ｂとの間の夾角は第２夾角（図５ではθ２と表示する）である。１つの実施形態として、第２夾角θ２は、第１透かし部２１の第１夾角θ１よりも小さいことにより、リード線２の接続端子に比較的近接す領域における第２透かし部２２の断面境界をより長くし、第１絶縁層１、第２絶縁層３を折曲げた時に絶縁層の内部全体に発生する応力をさらに分散させる。
【００５４】
ここで、第１透かし部２１及び第２透かし部２２が貫通孔である場合を例に取ると、第２透かし部２２の第１絶縁層から離れたリード線２の表面における開口の面積は、第１透かし部２１の第１絶縁層から離れたリード線２の表面における開口の面積より大きく設定してもよい。ドライエッチングが有する異方性の特定によって、同一のエッチング工程の時間内において、形成された貫通孔２２の断面境界と底面との夾角が、貫通孔２１の断面境界と底面との夾角よりも小さく、これによりリード線２の接続端子に比較的近接する領域における第２透かし部２２の断面境界をより長くすることができる。
【００５５】
同様に、図４に示すように、上記の所定折曲領域Ｓ１は、フレキシブル表示パネルの表示領域Ｓ０とフレキシブル表示パネルのエッジとの間に位置し；表示領域内に複数の信号線（図４では信号線をデータ線とし、４と表記して説明する）が設けられ；リード線２は表示領域Ｓ０とフレキシブル表示パネルのエッジとの間に位置し、信号線４を接続するために用いられ；少なくとも一本のリード線は所定折曲領域Ｓ１の外に位置し、且つ表示領域Ｓ０に近接する部分に第３透かし部２３がさらに設けられ、第１絶縁層１と第２絶縁層３はさらに第３透かし部２３を介して接続される。
【００５６】
ここで、リード線２の表示領域Ｓ０に近接する箇所に折曲が発生する可能性は低く、リード線２の表示領域Ｓ０に比較的近接する領域に第３透かし部２３を設けることによって、リード線２が折り曲げられた時、リード線全体の内部に発生する応力を分散することができる。
【００５７】
さらに、図６に示すように、フレキシブル表示パネルの垂直方向に沿って、第３透かし部２３の断面境界と底面との間の夾角を第３夾角（図６ではθ３と表記する）とする。別の実施形態として、第３夾角θ３が第１透かし部２１の第１夾角θ１よりも小さいことにより、リード線２の表示領域Ｓ０に比較的近接す領域における第３透かし部２３の断面境界をより長くし、第１絶縁層１、第２絶縁層３を折曲げた時に絶縁層の内部全体に発生する応力をさらに分散させる。
【００５８】
ここで、第１透かし部２１及び第３透かし部２３が貫通孔であることを例として、第３透かし部２３のリード線２の第１絶縁層から離れた表面における開口の面積は、第１透かし部２１のリード線２の第１絶縁層から離れた表面における開口の面積よりも大きいように設定してもよい。ドライエッチングが有する異方性の特定によって、同一のエッチング工程の時間内において、形成された貫通孔２３の断面境界と底面との夾角が、貫通孔２１の断面境界と底面との夾角よりも小さく、これによりリード線２の表示領域に比較的近接する領域における第３透かし部２３の断面境界をより長くすることができる。
【００５９】
即ち、上記のリード線２において、所定折曲領域Ｓ１の外に位置し且つフレキシブル表示パネルのエッジに近接する第２透かし部２２と、所定折曲領域Ｓ１の外に位置し且つ表示領域Ｓ０に近接する第３透かし部２３とは、一定の遷移効果を奏し、折曲の発生によりリード線２の内部に発生する応力を分散させる。
【００６０】
さらに、図７に示すように、所定折曲領域Ｓ１では、リード線において、比較的広い線幅を有する部分における第１透かし部２１の第１開口は、比較的狭い線幅を有する部分における第１透かし部２１の第１開口よりも大きい。この第１開口は、即ち第１透かし部２１の第１絶縁層に向かう開口である。ここで、第１開口は、第１中空部２１がリード線２の第１絶縁層に面する表面に形成された第１透かし部２１の開口を指すものであってもよい。
【００６１】
ここで、線幅が広くなると、リード線２と絶縁層との間の接触面積が大きくなり、折曲げた時にリード線２と絶縁層との分離が発生しやすくなるため、線幅が広くなった部分における第１透かし部２１の第１開口をより大きくし、即ちリード線２の上方と下方の絶縁層の接続部分をより多くし、リード線と絶縁層との分離が発生する確率をさらに低減させる。
【００６２】
ここで、線幅が広くなる部分の一例としては、複数の透かし構造を有する導線を並べて配列した位置を挙げることができる。
【００６３】
第１透かし部２１が貫通孔である場合を例に取ると、即ち線幅が広くなった部分における貫通孔の孔径がより大きい。
【００６４】
上記の説明に基づき、リード線が表示領域から引き出された後、フレキシブル表示パネルの一側のエッジまで延び且つ接続端子に接続し、これにより対応する信号を受信して表示領域内の信号線（例えばデータ線、ゲート線）に伝送する。フレキシブル表示パネルの折曲を容易にするために、フレキシブル表示パネルの表示領域の幅は、通常、接続端子に近接する側のエッジの幅よりも大きく、即ち表示領域から該側のエッジまでくびれた領域を有する。
【００６５】
表示領域における信号線の数が多いため、表示領域から引き出されたリード線の数もそれに応じて多くなり、それにより表示領域と接続端子が近接する側のエッジとの間において、中心位置に位置するリード線は、表示領域から接続端子までの距離が比較的短く（即ちリード線は比較的短く）、それに対して、中心から両側まで延びるエッジの位置におけるリード線は、表示領域から接続端子までの距離が比較的長く（即ちリード線が比較的長く）、それにより表示領域と接続端子が近接する側のエッジとの間の領域において、複数のリード線が中心からエッジまでの長さが徐々に長くなる特性を示す。
【００６６】
配線抵抗Ｒは以下の式で表される。
Ｒ＝ρ＊Ｌ／Ｓ；
Ｓ＝ｄ＊ｗ；
【００６７】
ここで、ρは抵抗率であり、Ｌは配線長さであり、Ｓは配線横断面積であり、ｄは配線厚さであり、ｗは配線幅である。
【００６８】
以上の表現式から明らかなように、抵抗率ρ、配線横断面積Ｓが同じ配線では、配線長さＬが長いほど、その抵抗が大きくなる。
【００６９】
フレキシブル表示パネルにおいて、各リード線は、通常、同一のパターニング工程で形成されたものであり、抵抗率ρは全て同一であり、厚さｄは全て同一である；また、リード線の数が多いため、各リード線の線幅Ｗは、通常、同一又は非常に近い。
【００７０】
このため、複数のリード線は、中心からエッジまで徐々に長くなる特性を示すため、各リード線の抵抗も異なり、抵抗が大きいほど信号の伝送遅延の度合いも大きくなり、表示品質に影響を与える。
【００７１】
従来、関連技術では、異なる位置におけるリード線の抵抗が不一致の問題を解決するために、異なる位置のリード線に長さの異なる折れ線等の蛇行折曲構造を設けることによって、各位置の配線長さを同一又は略同一にする。
【００７２】
しかしながら、本発明者らの研究によれば、高精細な表示を有するフレキシブル表示パネルでは、表示画面の解像度がより大きいため、単位面積あたりの画素セルの数もより多く、対応する信号線及びリード線の数もより多く、表示領域周辺の配線スペースがより少ないため、表示領域外に複雑な蛇行配線構造を製造することによって、異なる位置におけるリード線の長さの不一致による抵抗の一致性が比較的悪いという問題を補償できない。
【００７３】
これに基づき、本開示の実施例は、異なる位置におけるリード線の長さの不一致による抵抗の一致性が比較的悪いという問題をさらに解決又は改善するため、少なくとも異なるリード線２における第１透かし部２１の数及び大きさによって、異なる長さのリード線２の抵抗の相違を調整することができ、以下の２つの調整形態を含む。
【００７４】
形態一
図８に示すように、各リード線２は所定折曲領域Ｓ１において、いずれもリード線２の延在方向に沿って間隔を空けて配列された複数の第１透かし部２１を備え、各リード線２の長さは、中心からエッジに向かうにつれて（指向方向は、図８に矢印で示すようである）徐々に長くなり、且つ各リード線２における第１透かし部２１の分布密度（即ち数の多寡）は、リード線２の長さが長くなるにつれて徐々に低下する。ここで、例えば、各前記リード線における前記複数の前記第１透かし部の体積は、ほぼ等しい。
【００７５】
上記の配線抵抗Ｒの式から明らかなように、ρ、Ｌ、ｄが変化しない場合、線幅ｗが小さいほど抵抗が大くなる。また、リード線に第１透かし部２１を設けることは、リード線の第１透かし部２１を設けた位置での線幅を低減することに相当し、抵抗が増加する。
【００７６】
リード線の長さが短いほど、その抵抗は小さくなるため、このリード線に分布密度がより大きな第１透かし部２１を設けて、その抵抗を大きくすることができる。
【００７７】
即ち、リード線の長さが短いほど、それに配置された第１透かし部２１がより多くなり；逆に、リード線２の長さが長いほど、それに配置された第１透かし部２１がより少なくなり、第１透かし部２１の分布密度によって異なるリード線２の抵抗値を調整する。
【００７８】
リード線上の第１透かし部２１の分布密度が、リード線２の長さの増加につれて徐々に低下する具体的な程度は、対応する計算によって求めることができ、本開示の実施例はこれに限定されない。
【００７９】
ここで、図８に示すように、各リード線２の接続端子に近接する部分にさらに第２透かし部２２を設けてもよいし、表示領域に近接する部分にさらに第３透かし部２３を設けてもよいし、第２透かし部２２及び第３透かし部２３は、さらに分布密度がリード線２の長さの増加につれて徐々に低下するように設けてもよい。
【００８０】
形態二
図９に示すように、各リード線２は所定折曲領域Ｓ１において、いずれもリード線２の延在方向に沿って間隔を空けて配置された複数の第１透かし部２１を備え、各リード線２の長さは、中心からエッジに向かうにつれて（指向方向は、図９に矢印で示すようである）徐々に長くなり、且つ各リード線２における第１透かし部２１の透かしの総体積は、リード線２の長さの増加につれて徐々に低下する。
【００８１】
ここで、第１透かし部２１の体積は、即ちリード線２のくりぬかれた部分の大きさであり、各リード線２が通常、同一の製造工程で形成されるため、厚さが同一又は非常に近く、第１透かし部２１の体積の違いは、実際には、該第１透かし部２１の開口の大きさに依存する。
【００８２】
第１透かし部２１が貫通孔であることを例に取ると、第１透かし部２１の体積が大きいほど孔径が大きくなり、これは、リード線の第１透かし部２１を設けた位置での線幅を低減することに相当し、抵抗が増加する。
【００８３】
リード線の長さが短いほど、その抵抗は小さくなるため、このリード線に体積がより大きな第１透かし部２１を設けて、その抵抗を大きくすることができる。
【００８４】
即ち、リード線の長さが短いほど、それに配置された第１透かし部２１の透かしの総体積が大きくなり；逆に、リード線２の長さが長いほど、それに配置された第１透かし部２１の透かしの総体積が小さくなり、第１透かし部２１の大きさによって異なるリード線２の抵抗値を調整する。
【００８５】
リード線上の第１透かし部２１の透かしの総体積が、リード線２の長さの増加につれて徐々に低下する具体的な程度は、対応する計算によって求めることができ、本開示の実施例はこれに限定されない。
【００８６】
ここで、図９に示すように、各リード線２の接続端子に近接する部分にさらに第２透かし部２２を設けてもよいし、表示領域に近接する部分にさらに第３透かし部２３を設けてもよいし、第２透かし部２２及び第３透かし部２３は、さらに体積がリード線２の長さの増加につれて徐々に低下するように設けてもよい。
【００８７】
これに基づき、本開示の実施例に係る上述したフレキシブル表示パネルは、折曲時にリード線と絶縁層との間に界面遷移領域が設けられないことによるリード線と絶縁層との分離問題を解決できる同時に、さらに、異なるリード線における第１透かし部の数及び大きさを調節することによって、長さが異なるリード線の抵抗の不一致の問題を改善することができ、高精細表示製品の表示要求をさらに満たすことができる。
【００８８】
上記の説明に基づき、本開示の実施例はフレキシブル表示パネルの製造方法をさらに提供し、この製造方法は以下のステップを含む。
【００８９】
ステップＳ１：第１絶縁層を形成するステップ。
ステップＳ２：第１絶縁層に複数のリード線を形成するステップ、前記リード線の延在方向がフレキシブル表示パネルの所定折曲領域を通過し、前記リード線は、所定折曲領域内において、第１絶縁層を露出する第１透かし部が形成される。
ステップＳ３：第２絶縁層を形成するステップ、ここで、第２絶縁層と第１絶縁層とは第１透かし部を介して接続される。
【００９０】
ここで、第１絶縁層上に複数のリード線を形成した後、パターニング工程によってリード線に第１絶縁層を露出する第１透かし部を形成することができる。
【００９１】
ここで、典型的なパターニング工程とは、マスク（Ｍａｓｋ）を１回適用し、膜層表面のフォトレジストを露光（Ｐｈｏｔｏ）、現像し、フォトレジストの露出した部分をエッチング（Ｅｔｃｈ、例えばドライエッチング）することによって、特定のパターンを形成し、さらにフォトレジストを除去する工程を指す。
【００９２】
第１透かし部は、貫通孔であってもよい。
【００９３】
選択的な形態として、さらに、形成された第１透かし部は、第１絶縁層に向かう第１開口を有し；所定折曲領域において、所定の折曲の程度が大きいサブ領域に位置する第１透かし部の第１開口は、所定の折曲の程度が小さいサブ領域に位置する第１透かし部の第１開口よりも大きい。
【００９４】
別の選択的な形態として、さらに、所定折曲領域において、所定の折曲の程度が大きいサブ領域に位置する第１透かし部の分布密度は、所定の折曲の程度が小さいサブ領域に位置する第１透かし部の分布密度よりも大きい。
【００９５】
さらに、形成されたリード線は、第１絶縁層と接触する底面を有し；フレキシブル表示パネルの垂直方向に沿って、第１透かし部の断面境界と底面との間の夾角は第１夾角であり、第１夾角は４５°〜９５°である。
【００９６】
さらに、少なくとも一本のリード線は所定折曲領域の外に位置し、且つフレキシブル表示パネルのエッジに近接する部分には、第２透かし部がさらに形成され、第１絶縁層と第２絶縁層とは、さらに第２透かし部を介して接続される。
【００９７】
さらに、フレキシブル表示パネルの垂直方向に沿って、形成された第２透かし部の断面境界と底面との間の夾角は第２夾角であり、第２夾角は第１夾角よりも小さい。
【００９８】
さらに、所定折曲領域は、フレキシブル表示パネルの表示領域とフレキシブル表示パネルのエッジとの間に位置し；表示領域内に複数の信号線が形成され；リード線は表示領域とフレキシブル表示パネルのエッジとの間に形成され、信号線を接続するために用いられ；少なくとも一本のリード線は所定折曲領域の外に位置し、且つ表示領域に近接する部分に第３透かし部がさらに形成され、第１絶縁層と第２絶縁層とはさらに第３透かし部を介して接続される。
【００９９】
さらに、フレキシブル表示パネルの垂直方向に沿って、形成された第３透かし部の断面境界と底面との間の夾角は第３夾角であり、第３夾角は第１夾角よりも小さい。
【０１００】
さらに、形成された第１透かし部は、第１絶縁層に向かう第１開口を有し；所定折曲領域において、リード線に比較的広い線幅を有する部分における第１透かし部の第１開口は、比較的狭い線幅を有する部分における第１透かし部の第１開口よりも大きい。
【０１０１】
さらに、各リード線は所定折曲領域内に、いずれもリード線２の延在方向に沿って間隔を空けて配列された複数の第１透かし部が形成され、各リード線の長さは、中心からエッジに向かうにつれて徐々に長くなり、且つ各リード線における第１透かし部の分布密度は、リード線の長さの増加につれて徐々に低下する。
【０１０２】
さらに、各リード線は所定折曲領域内に、いずれもリード線２の延在方向に沿って間隔を空けて配列された複数の第１透かし部が形成され、各リード線の長さは、中心からエッジに向かうにつれて徐々に長くなり、且つ各リード線における第１透かし部の透かし部体積は、リード線の長さの増加につれて徐々に低下する。
【０１０３】
上記の説明に基づき、図１０に示すように、本開示の実施例は、上記のフレキシブル表示パネル１００を備えるフレキシブル表示装置２００をさらに提供する。例えば、前記フレキシブル表示装置２００は、前記フレキシブル表示パネル１００に対向して配置された対向基板２０１をさらに含む。
【０１０４】
上記の表示装置は、具体的には、ディスプレイ、テレビ、携帯電話、タブレットコンピュータ、スマートブレスレット、デジタルフォトフレーム、ナビゲーター等のいかなる表示機能を有する製品又は部品であってよい。
【０１０５】
以上に説明したのは、本開示の実施例の具体的な実施形態のみであり、本開示の実施例の保護範囲は、これらに限定されない。当業者が本開示の実施例の技術的範囲内に容易に想到できる変更や置換は、いずれも本開示の保護範囲内に含まれるものとする。従って、本開示の保護範囲は、特許請求の範囲に記載された保護範囲を準拠するものとする。
【０１０６】
この出願は、２０１８年４月２８日に提出された、出願番号が２０１８２０６４０５６４．５である中国特許出願を基礎とする優先権を主張し、その開示内容の全ては参照により本出願に組み込まれる。
【図１】
2021519943.tif 000002
【図２】
2021519943.tif 000003
【図３】
2021519943.tif 000004
【図４】
2021519943.tif 000005
【図５】
2021519943.tif 000006
【図６】
2021519943.tif 000007
【図７】
2021519943.tif 000008
【図８】
2021519943.tif 000009
【図９】
2021519943.tif 000010
【図１０】
2021519943.tif 000011
【国際調査報告】
2021519943.tif 000012
2021519943.tif 000013
2021519943.tif 000014
2021519943.tif 000015